(57)【要約】【課題】バストの造形性を高めると共に、バストに対するカップ部の上部の浮きを抑制することが可能なカップ部を有する衣類を提供する。【解決手段】本発明の一実施形態に係るカップ部を有する衣類１は、バストを覆うための一対のカップ部１２と、バストを前中心に向けて引き寄せるための引寄部２０とを有する衣類である。そして、このカップ部を有する衣類１では、引寄部２０の下辺部２０ｌｃの布地パワーは、引寄部２０の上辺部２０ｕの布地パワーより強いことを特徴としている。【選択図】図１
2011032591.tif 000002
【特許請求の範囲】
【請求項１】
バストを覆うための一対のカップ部と、前記バストを前中心に向けて引き寄せるための引寄部とを有する衣類において、
前記引寄部の下辺部の布地パワーは、前記引寄部の上辺部の布地パワーより強いことを特徴とする、
カップ部を有する衣類。
【請求項２】
前記引寄部は、左右方向に連結する前中心側部分と脇側部分とを有し、
前記引寄部における前記前中心側部分の下辺部の布地パワーは、前記引寄部における前記前中心側部分の上辺部の布地パワーより強く、
前記引寄部の前記脇側部分の布地パワーは、前記引寄部の前記前中心側部分の布地パワーより強い、
ことを特徴とする、
請求項１に記載のカップ部を有する衣類。
【請求項３】
前記カップ部は、左右方向に連結する前中心側部分と脇側部分とを有し、
前記カップ部の前記脇側部分の布地パワーは、前記カップ部の前記前中心側部分の布地パワーより強いことを特徴とする、
請求項１に記載のカップ部を有する衣類。
【請求項４】
前記カップ部の前記前中心側部分は、上下方向に連結する前中心側上部分と前中心側下部分とを有し、
前記カップ部の前記脇側部分は、上下方向に連結する脇側上部分と脇側下部分とを有し、
前記カップ部における布地パワーは、前記前中心側上部分、前記前中心側下部分、前記脇側上部分、前記脇側下部分の順に強くなることを特徴とする、
請求項３に記載のカップ部を有する衣類。
【請求項５】
前記カップ部の下部を支持するための土台部と、
前記土台部の前中心に設けられた環状の固定部と、
を更に備え、
前記引寄部の前中心部は、前記固定部の孔に挿通されていることを特徴とする、
請求項１〜４の何れかに記載のカップ部を有する衣類。
【発明の詳細な説明】
【技術分野】
【０００１】
本発明は、バストを覆うためのカップ部を有する衣類に関するものである。
【背景技術】
【０００２】
特許文献１〜３には、バストを覆うためのカップ部を有する衣類として、ブラジャーが開示されている。これらのブラジャーは、バストの寄せ効果や押し上げ効果を高めるために、左右のカップ部を前中心に向かって寄せるための寄せ部材を備えている。この寄せ部材は、一端をカップ脇部及び土台部に固着し、他端を前中心部に向かって幅が狭くなるように延長させて互いに結合している。
【先行技術文献】
【特許文献】
【０００３】
【特許文献１】特開２００７−３２１２４９号公報
【特許文献２】登録実用新案第３１１８０２９号公報
【特許文献３】登録実用新案第３１１８９３１号公報
【発明の概要】
【発明が解決しようとする課題】
【０００４】
ところで、カップ部を有する衣類では、バストに対するカップ部の上部の浮きであって、着用者の動きに起因して生じるカップ部の上部の浮きの改善が要望されている。しかしながら、特許文献１〜３に記載のブラジャーでは、このような要望には応えられない。すなわち、特許文献１〜３に記載のブラジャーでは、着用者の動作に伴い、寄せ部材及びカップ部がバストに対してずれてしまい、その結果、カップ部の上部がバストから浮いてしまうことがある。
【０００５】
また、カップ部を有する衣類では、バストの寄せ上げ等の造形性の更なる向上が要望されている。
【０００６】
そこで、本発明は、バストの造形性を高めると共に、バストに対するカップ部の上部の浮きを抑制することが可能なカップ部を有する衣類を提供することを目的としている。
【課題を解決するための手段】
【０００７】
本発明のカップ部を有する衣類は、バストを覆うための一対のカップ部と、バストを前中心に向けて引き寄せるための引寄部とを有する衣類において、引寄部の下辺部の布地パワーは、引寄部の上辺部の布地パワーより強いことを特徴とする。
【０００８】
ここで、布地パワーとは、布地のはりこしや引っ張り力である。例えば、布地のはりこしが強いほど布地パワーが強い。一方、布地の引っ張り力とは、布地を一定量伸ばすための荷重、又は、一定負荷をかけたときの伸び量によって表される。布地の引っ張り力が布地を一定量伸ばすための荷重によって表される場合、その荷重が大きいほど布地パワーが強く、布地の引っ張り力が一定負荷をかけたときの伸び量によって表される場合、その伸び量が小さいほど布地パワーが強い。
【０００９】
本発明のカップ部を有する衣類によれば、引寄部の下辺部の布地パワーが上辺部の布地パワーより強いので、引寄部によって、バストを引き寄せる効果に加えて、バストを押し上げる効果を高めることができ、バストの造形性を高めることができる。
【００１０】
また、引寄部の下辺部によってカップ部の下部をバスト側に強く押さえつけることにより、着用者の動きに起因して動くバストに対するカップ部の追従性を高めることができる。したがって、バストに対するカップ部の上部の浮きであって、着用者の動きに起因して生じるカップ部の上部の浮きを抑制することができる。
【００１１】
上記した引寄部は、左右方向に連結する前中心側部分と脇側部分とを有し、引寄部における前中心側部分の下辺部の布地パワーは、引寄部における前中心側部分の上辺部の布地パワーより強く、引寄部の脇側部分の布地パワーは、引寄部の前中心側部分の布地パワーより強いことが好ましい。
【００１２】
これによれば、引寄部の脇側部分によってバストの脇側部分を押さえつけることにより、バストの脇側への広がりを低減することができると共に、引寄部による引き寄せ力をバストの脇側部分へ効率よく伝えることができる。したがって、バストの造形性をより高めることができる。
【００１３】
または、上記したカップ部は、左右方向に連結する前中心側部分と脇側部分とを有し、カップ部の脇側部分の布地パワーは、カップ部の前中心側部分の布地パワーより強いこと
が好ましい。
【００１４】
これによれば、カップ部の脇側部分によってバストの脇側部分を押さえつけることにより、バストの脇側への広がりを低減することができる。したがって、バストの造形性をより高めることができる。
【００１５】
また、上記したカップ部の前中心側部分は、上下方向に連結する前中心側上部分と前中心側下部分とを有し、上記したカップ部の脇側部分は、上下方向に連結する脇側上部分と脇側下部分とを有し、カップ部における布地パワーは、前中心側上部分、前中心側下部分、脇側上部分、脇側下部分の順に強くなることが好ましい。
【００１６】
これによれば、カップ部における比較的に布地パワーが強い脇側下部分と脇側上部分とによってバストの脇側部分を押さえつけることにより、バストの脇側への広がりを低減することができる。また、カップ部における比較的に布地パワーが強い脇側下部分と前中心側下部分とによってバストを下側から押し上げることができる。したがって、バストの造形性をより高めることができる。
【００１７】
また、上記したカップ部を有する衣類は、カップ部の下部を支持するための土台部と、土台部の前中心に設けられた環状の固定部とを更に備え、引寄部の前中心部は、固定部の孔に挿通されていることが好ましい。
【００１８】
従来のように引寄部の前中心部を固定しない場合、引寄部の前中心部は着用者の前側に浮いてしまい、アウターウェアに影響を与えてしまう可能性がある。この点に関し、例えば、引寄部の前中心部を土台部の前中心に直接縫着することが考えられるが、この場合、バストの引き寄せ効果が十分に得られない可能性があり、また、バストに対するカップ部の上部の浮き抑制効果が十分に得られない可能性がある。
【００１９】
しかしながら、この構成によれば、引寄部の前中心部が固定部の孔に挿通されてフレキシブルに固定されるので、引寄部の前中心部は左右カップ間をフレキシブルに移動することができ、バストの引き寄せ効果を十分に得ることができると共に、バストに対するカップ部の上部の浮き抑制効果を十分に得ることができる。また、引寄部の前中心部が着用者の前側に浮くことを防止することができ、アウターウェアに影響を与えることを防止することができる。
【発明の効果】
【００２０】
本発明によれば、カップ部を有する衣類において、バストの造形性を高めると共に、バストに対するカップ部の上部の浮きを抑制することができる。
【図面の簡単な説明】
【００２１】
【図１】本発明の第１の実施形態に係るブラジャーを示す斜視図である。
【図２】図１に示すブラジャーを分解して示す分解斜視図である。
【図３】本発明の第２の実施形態に係るブラジャーを示す斜視図である。
【図４】図３に示すブラジャーを分解して示す分解斜視図である。
【図５】本発明の第３の実施形態に係るブラジャーを示す斜視図である。
【図６】図５に示すブラジャーを分解して示す分解斜視図である。
【図７】本発明の第４の実施形態に係るブラジャーを示す斜視図である。
【図８】図７に示すブラジャーを分解して示す分解斜視図である。
【発明を実施するための形態】
【００２２】
以下、図面を参照して本発明の好適な実施形態について詳細に説明する。なお、各図面において同一又は相当の部分に対しては同一の符号を附すこととする。
［第１の実施形態］
【００２３】
図１は、本発明の第１の実施形態に係るブラジャーを示す斜視図であり、図２は、図１に示すブラジャーを分解して示す分解斜視図である。このブラジャー１は、本体部１０と、引寄部２０とを備えている。なお、ブラジャー１は前中心部を中心として左右略対称であるので、以下では左右の一方のみによって説明する。
【００２４】
本体部１０は、カップ部１２と、土台部１４と、バックベルト部１６と、肩紐部１８とを有している。
【００２５】
カップ部１２は、バストを覆うためのものであり、土台部１４に支持されている。土台部１４は、非伸縮性の布からなっており、カップ部１２の下部から脇側にかけてカップ部１２と縫着されている。土台部１４の脇側には、バックベルト部１６が縫着されている。バックベルト部１６は、伸縮性の布からなっており、背中において連結することによって、土台部１４及びカップ部１２を支持するためのものである。また、カップ部１２の脇側上部には、肩紐部１８が縫着されている。肩紐部１８は、伸縮性の布からなっており、肩を介してバックベルト部１６に連結されることによって、カップ部１２を支持するためのものである。
【００２６】
また、カップ部１２と土台部１４との境界には、すなわち、バージスラインに沿ってカップワイヤー４０が装着されている。なお、カップワイヤー４０は必ずしも備えなくてもよい。また、カップ部１２の表側には、引寄部２０が設けられている。
【００２７】
引寄部２０は、バストを前中心に向けて引き寄せるためのものである。引寄部２０の脇辺部２０ｓ及び脇側下辺部２０ｌｓは、カップ部１２の脇辺部１２ｓ及び脇側下辺部１２ｌｓに縫着されている。引寄部２０は、カップ部１２の脇辺部１２ｓ及び脇側下辺部１２ｌｓから前中心へ向けて、次第に幅が狭くなるように、底辺がバージスラインに沿った略三角形をなして延びている。引寄部２０は、前中心において、左右の引寄部のうちのもう一方の引寄部と縫着されている。なお、引寄部２０は、左右の引寄部を一枚布から一体的に形成するものであってもよい。引寄部２０は、カップ部１２に対して縫着部を除いて遊離しており、左右方向に伸縮性を有している。これにより、引寄部２０は、バストを前中心方向に引き寄せるように作用する。
【００２８】
引寄部２０の前中心側下辺部２０ｌｃの布地パワーは、上辺部２０ｕの布地パワーより強くなっている。ここで、布地パワーとは、布地のはりこしや引っ張り力である。例えば、布地のはりこしが強いほど布地パワーが強い。一方、布地の引っ張り力とは、布地を一定量伸ばすための荷重、又は、一定負荷をかけたときの伸び量によって表される。布地の引っ張り力が布地を一定量伸ばすための荷重によって表される場合、その荷重が大きいほど布地パワーが強く、布地の引っ張り力が一定負荷をかけたときの伸び量によって表される場合、その伸び量が小さいほど布地パワーが強い。
【００２９】
前中心側下辺部２０ｌｃの布地パワーを強くするためには、例えば、前中心側下辺部２０ｌｃの裏側に、非伸縮性または難伸縮性のテープを縫着すればよい。又は、前中心側下辺部２０ｌｃの縫製方法としてオーバーロック方式を用いてもよい。あるいは、前中心側下辺部２０ｌｃの素材として布地パワーが強い素材、例えば伸張回復性が高い素材（ＳＳ曲線傾斜が小さい素材）を用いてもよい。
【００３０】
このように、第１の実施形態のブラジャー１によれば、引寄部２０の前中心側下辺部２０ｌｃの布地パワーが上辺部２０ｕの布地パワーより強いので、引寄部２０によって、バストを寄せる効果に加えて、バストを押し上げる効果を高めることができ、バストの造形性を高めることができる。
【００３１】
また、引寄部２０によってカップ部１２をバスト側に強く押さえつけることにより、着用者の動きに起因して動くバストに対するカップ部１２の追従性を高めることができる。したがって、バストに対するカップ部１２の上部の浮きであって、着用者の動きに起因して生じるカップ部１２の上部の浮きを抑制することができる。
【００３２】
なお、第１の実施形態のブラジャー１では、引寄部２０の前中心部２０ｃは、土台部１４の前中心に設けられた固定部３０によって、土台部１４に固定されている。例えば、固定部３０は、リボン状布を環状（リング状）に形成したものであり、土台部１４の前中心に縫着されている。引寄部２０の前中心部２０ｃは、この固定部３０の孔を通ることによって、土台部１４にフレキシブルに固定される。これにより、着用者の動きに起因して動くバストに対する引寄部２０及びカップ部１２の追従性をより高めることができる。
【００３３】
従来のように引寄部２０の前中心部２０ｃを固定しない場合、引寄部２０の前中心部２０ｃは着用者の前側に浮いてしまい、アウターウェアに影響を与えてしまう可能性がある。すなわち、アウターウェアに不自然な凸部を生じさせてしまう可能性がある。この点に関し、例えば、引寄部２０の前中心部２０ｃを土台部１４の前中心に直接縫着することが考えられるが、この場合、バストの引き寄せ効果が十分に得られない可能性があり、また、バストに対するカップ部の上部の浮き抑制効果が十分に得られない可能性がある。
【００３４】
しかしながら、第１の実施形態のブラジャー１によれば、引寄部２０の前中心部２０ｃが固定部３０の孔に挿通されてフレキシブルに固定されるので、引寄部２０の前中心部２０ｃは左右カップ間をフレキシブルに移動することができ、バストの引き寄せ効果を十分に得ることができると共に、バストに対するカップ部１２の上部の浮き抑制効果を十分に得ることができる。例えば、着用者が上体を右に捻った場合にあっては、左カップ部１２の上辺付近でバストとの間に浮きが生じるところ、この動きに追従して引寄部２０が左カップ部１２側から右カップ部１２側へ固定部３０の孔をスライドして引かれ、左側カップ部１２がバスト側に押さえつけられることにより上記浮きを抑制することとなる。更には、引寄部２０の前中心部２０ｃが着用者の前側に浮くことを防止することができ、アウターウェアに影響を与えることを防止することができる。
［第２の実施形態］
【００３５】
図３は、本発明の第２の実施形態に係るブラジャーを示す斜視図であり、図４は、図３に示すブラジャーを分解して示す分解斜視図である。このブラジャー１Ａは、ブラジャー１において、引寄部２０に代えて引寄部２０Ａを備えている点で、第１の実施形態と異なっている。ブラジャー１Ａにおけるその他の構成は、ブラジャー１と同一である。
【００３６】
引寄部２０Ａは、脇側部分２２と前中心側部分２４とを有している。
【００３７】
脇側部分２２は、カップ部１２を左右方向に２分割してなる脇側部分１２ａと前中心側部分１２ｂとのうちの脇側部分１２ａを覆う。脇側部分２２の脇辺部２２ｓ及び下辺部２２ｌは、カップ部１２における脇側部分１２ａの脇辺部１２ｓ及び下辺部１２ｌｓに縫着されている。脇側部分２２のその他の部分は、カップ部１２の脇側部分１２ａに対して遊離している。なお、脇側部分２２は、カップ部１２の脇側部分１２ａに対して全体的に縫着されていてもよい。この場合、例えば、脇側部分２２は、脇側部分１２ａの縁を一周するように縫着されればよい。
【００３８】
脇側部分２２の布地パワーは、前中心側部分２４の布地パワーより強くなっている。脇側部分２２の布地パワーを強くするためには、脇側部分２２として非伸縮性の素材、又は、伸縮性が低い素材、例えば伸張回復性が高い素材（ＳＳ曲線傾斜が小さい素材）を用いればよい。これにより、脇側部分２２は、バストの脇側部分を押さえるように作用する。
【００３９】
本実施形態では、カップ部１２において、肩紐部１８の取付部１２ｄ近傍とバージスラインの最下部１２ｅ近傍とを結ぶラインを、脇側部分１２ａと前中心側部分１２ｂとの境界としている。これにより、バストの寄せ上げに効果的なバストの脇側部分を効率よく押さえることができる。この脇側部分２２の前中心側には、前中心側部分２４が縫着されている。
【００４０】
前中心側部分２４は、脇側部分２２から前中心へ向けて、次第に幅が狭くなるように、底辺がバージスラインに沿った略三角形をなして延びている。前中心側部分２４は、前中心において、左右の引寄部のうちのもう一方の前中心側部分と縫着されている。なお、前中心側部分２４は、左右の前中心側部分を一枚布から一体的に形成するものであってもよい。前中心側部分２４は、カップ部１２の前中心側部分１２ｂに対して遊離しており、左右方向に伸縮性を有している。これにより、前中心側部分２４は、バストを前中心方向に引き寄せるように作用する。
【００４１】
この前中心側部分２４の下辺部２４ｌの布地パワーは、上辺部２４ｕの布地パワーより強くなっている。下辺部２４ｌの布地パワーを強くするためには、上記した引寄部２０の前中心側下辺部２０ｌｃと同様の構造とすればよい。すなわち、下辺部２４ｌの裏側に、非伸縮性または難伸縮性のテープを縫着したり、下辺部２４ｌの縫製方法としてオーバーロック方式を用いたり、下辺部２４ｌの素材として布地パワーが強い素材を用いたりすればよい。
【００４２】
また、第２の実施形態でも、引寄部２０Ａの前中心部２０ｃは、土台部１４の前中心に設けられた環状の固定部３０の孔に挿通されて、土台部１４にフレキシブルに固定されている。
【００４３】
このように、第２の実施形態のブラジャー１Ａでは、引寄部２０Ａにおける前中心側部分２４の上辺部２４ｕ、下辺部２４ｌ、脇側部分２２の順に布地パワーが強くなっている。
【００４４】
この第２の実施形態のブラジャー１Ａでも、引寄部２０Ａにおける前中心側部分２４の下辺部２４ｌの布地パワーが上辺部２４ｕの布地パワーより強いので、第１の実施形態のブラジャー１と同様な利点を得ることができる。
【００４５】
更に、第２の実施形態のブラジャー１Ａによれば、引寄部２０Ａにおける脇側部分２２の布地パワーが前中心側部分２４の布地パワーより強いので、脇側部分２２によってバストの脇側部分を押さえつけることができる。したがって、バストの脇側への広がりを低減することができると共に、前中心側部分２４による引き寄せ力を、脇側部分２２からバストの脇側部分へ効率よく伝えることができ、バストの造形性をより高めることができる。
［第３の実施形態］
【００４６】
図５は、本発明の第３の実施形態に係るブラジャーを示す斜視図であり、図６は、図５に示すブラジャーを分解して示す分解斜視図である。このブラジャー１Ｂは、ブラジャー１において、本体部１０に代えて本体部１０Ｂを備えている点で、第１の実施形態と異なっている。ブラジャー１Ｂにおけるその他の構成は、ブラジャー１と同一である。
【００４７】
本体部１０Ｂは、本体部１０において、カップ部１２に代えてカップ部１２Ｂを有している点で、本体部１０と異なっている。本体部１０Ｂのその他の構成は、本体部１０と同一である。
【００４８】
カップ部１２Ｂは、左右方向に２分割してなる脇側部分１２ａと前中心側部分１２ｂとを有している。脇側部分１２ａの布地パワーは、前中心側部分１２ｂの布地パワーより強くなっている。例えば、カップ部１２Ｂは、上記したカップ部１２の表側に装飾用布地を縫着した構成とし、この装飾用布地の脇側部分１２ａの布地パワーを装飾用布地の前中心側部分１２ｂの布地パワーより強くする。装飾用布地の脇側部分１２ａの布地パワーを強くするためには、装飾用布地の脇側部分１２ａとして非伸縮性の素材、又は、伸縮性が低い素材、例えば伸張回復性が高い素材（ＳＳ曲線傾斜が小さい素材）を用いればよい。これにより、カップ部１２Ｂの脇側部分１２ａは、バストの脇側部分を押さえるように作用する。
【００４９】
なお、カップ部１２Ｂの脇側部分１２ａの布地パワーを強くする手法は、本実施形態に限定されない。例えば、カップ部自体を異なる素材を用いた異なるパーツの組合せによって形成してもよい。
【００５０】
本実施形態でも、カップ部１２Ｂにおいて、肩紐部１８の取付部１２ｄ近傍とバージスラインの最下部１２ｅ近傍とを結ぶラインを、脇側部分１２ａと前中心側部分１２ｂとの境界としている。これにより、バストの寄せ上げに効果的なバストの脇側部分を効率よく押さえることができる。
【００５１】
なお、第３の実施形態のブラジャー１Ｂでは、引寄部２０における上辺部２０ｕ、前中心側下辺部２０ｌｃ、カップ部１２Ｂにおける脇側部分１２ａの順に布地パワーが強くなっていることが好ましい。
【００５２】
この第３の実施形態のブラジャー１Ｂでも、引寄部２０を備えているので、第１の実施形態のブラジャー１と同様の利点を得ることができる。
【００５３】
更に、この第３の実施形態のブラジャー１Ｂでも、カップ部１２Ｂにおける脇側部分１２ａの布地パワーが前中心側部分１２ｂの布地パワーより強いので、脇側部分１２ａによってバストの脇側部分を押さえつけることができる。したがって、バストの脇側への広がりを低減することができ、バストの造形性をより高めることができる。
［第４の実施形態］
【００５４】
図７は、本発明の第４の実施形態に係るブラジャーを示す斜視図であり、図８は、図７に示すブラジャーを分解して示す分解斜視図である。このブラジャー１Ｃは、ブラジャー１Ｂにおいて、本体部１０Ｂに代えて本体部１０Ｃを備えている点で、第３の実施形態と異なっている。ブラジャー１Ｃにおけるその他の構成は、ブラジャー１Ｂと同一である。
【００５５】
本体部１０Ｃは、本体部１０Ｂにおいて、カップ部１２Ｂに代えてカップ部１２Ｃを有している点で、本体部１０Ｂと異なっている。本体部１０Ｃのその他の構成は、本体部１０Ｂと同一である。
【００５６】
カップ部１２Ｃは、左右方向に２分割してなる脇側部分１２ａと前中心側部分１２ｂとのそれぞれを、更に上下方向に２分割してなる、すなわち、左右上下方向に４分割してなる脇側上部分１２ａｕと、脇側下部分１２ａｌと、前中心側上部分１２ｂｕと、前中心側下部分１２ｂｌとを有している。カップ部１２Ｃにおける布地パワーは、前中心側上部分１２ｂｕ、前中心側下部分１２ｂｌ、脇側上部分１２ａｕ、脇側下部分１２ａｌの順に強くなる。
【００５７】
例えば、カップ部１２Ｃは、カップ部の表側に、カップ部１２Ｂと同一の装飾用布地、すなわち、脇側部分１２ａの布地パワーが前中心側部分１２ｂの布地パワーより強い装飾用布地を縫着した構成とする。そして、この装飾用布地を縫着カップ部として、下部の布地パワーが上部の布地パワーより強いカップ部を用いる。例えば、カップ部の構成を、異なる素材を用いた異なるパーツを上下に組合せた構成とすればよい。これにより、カップ部１２Ｃの布地パワーを、左右上下に４段階に異ならせることができる。
【００５８】
なお、カップ部１２Ｃの布地パワーを左右上下に４段階に異ならせる手法は、本実施形態に限定されない。例えば、カップ部自体を４種の異なる素材を用いた異なるパーツの組合せによって形成してもよいし、装飾用布地自体を４種の異なる素材によって形成してもよい。
【００５９】
この第４の実施形態のブラジャー１Ｃでも、引寄部２０を備えているので、第１の実施形態のブラジャー１と同様の利点を得ることができる。
【００６０】
更に、この第４の実施形態のブラジャー１Ｃによれば、カップ部１２Ｃにおける比較的に布地パワーが強い脇側下部分１２ａｌと脇側上部分１２ａｕとによってバストの脇側部分を押さえつけることにより、バストの脇側への広がりを低減することができる。また、カップ部１２Ｃにおける比較的に布地パワーが強い脇側下部分１２ａｌと前中心側下部分１２ｂｌとによってバストを下側から押し上げることができる。したがって、バストの造形性をより高めることができる。
【００６１】
なお、本発明は上記した本実施形態に限定されることなく種々の変形が可能である。例えば、本実施形態では、引寄部２０，２０Ａにおける左右の引寄部が一体的に形成されていたが、引寄部２０における左右の引寄部は、フロントホック式のように、ホックやリボン等によって前中心において係合可能になっていてもよい（２ホックタイプ）。
【００６２】
また、本実施形態では、カップワイヤー４０を備えるブラジャーを例示したが、本実施形態の特徴は、上記したように、カップワイヤーを備えないノンワイヤータイプのブラジャーにも適用可能である。
【００６３】
また、本実施形態では、バックベルト部１６の後端をホック等で掛け留めするタイプのブラジャーを例示したが、本実施形態の特徴は、前中心において土台部１４の左右を分離してホック等で掛け留めするフロントホックタイプのブラジャーにも適用可能である。
【００６４】
また、本実施形態の特徴は、フルカップブラジャー、３／４カップブラジャー及び１／２カップブラジャー等のすべてのタイプのブラジャーに適用可能である。
【００６５】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【実施例１】
【００６６】
図１に示す第１の実施形態のブラジャー１を実施例１として製作し、試着評価を行った。この評価では、実施例１と従来品との対比評価を行った。ここで、本実施例１に対して対比を行った従来品は、他社の商品であって、主に、引寄部２０の前中心側下辺部２０ｌｃと上辺部２０ｕとの間に布地パワーの差がない点で、実施例１と異なっている。
【００６７】
本評価では、実施例１と従来品とを試着し、上半身を左右方向の何れか一方に９０度回転して戻した後、この回転動作に起因してバストに対するカップ部の上部の浮きがどれくらい生じるかを観測した。
【００６８】
この評価結果によれば、従来品を試着した場合に比べ、実施例１を試着した場合の方が、回転動作に起因して生じるバストに対するカップ部１２の上部の浮きが抑制されることを確認した。これは、引寄部２０の前中心側下辺部２０ｌｃの布地パワーが上辺部２０ｕの布地パワーより強いことにより、着用者の動きに起因して動くバストに対するカップ部１２の追従性を高めることができたことによるものと考えられる。
【実施例２】
【００６９】
図５に示す第３の実施形態のブラジャー１Ｂを実施例２として製作し、試着評価を行った。この評価では、実施例２と上記した従来品との対比評価を行った。本評価では、実施例２と従来品とを試着し、バストの造形性（寄せ上げ）効果を観測した。
【００７０】
この評価結果によれば、従来品を試着した場合に比べ、実施例２を試着した場合の方が、バストの脇側への広がりを低減することができ、その結果、バストの寄せ効果が高まっていることを確認した。これは、カップ部１２Ｂにおける脇側部分１２ａの布地パワーが前中心側部分１２ｂの布地パワーより強く、脇側部分１２ａによってバストの脇側部分を押さえつけることができたことによるものと考えられる。
【００７１】
また、この評価結果によれば、従来品を試着した場合に比べ、実施例２を試着した場合の方が、バストトップの位置が高くなっていることを確認した。これは、引寄部２０の前中心側下辺部２０ｌｃの布地パワーが上辺部２０ｕの布地パワーより強く、引寄部２０によって、バストを寄せる効果に加えて、バストを押し上げる効果を高めることができたことによるものと考えられる。
【符号の説明】
【００７２】
１，１Ａ，１Ｂ，１Ｃ…ブラジャー（カップ部を有する衣類）、１０，１０Ｂ，１０Ｃ…本体部、１２，１２Ｂ，１２Ｃ…カップ部、１２ａ…カップ部の脇側部分、１２ｂ…カップ部の前中心側部分、１２ａｌ…カップ部の脇側下部分、１２ａｕ…カップ部の脇側上部分、１２ｂｌ…カップ部の前中心側下部分、１２ｂｕ…カップ部の前中心側上部分、１２ｄ…肩紐部の取付部、１２ｅ…バージスラインの最下部、１２ｌｓ…カップ部の脇側下辺部、１２ｓ…カップ部の脇辺部、１４…土台部、１６…バックベルト部、１８…肩紐部、２０，２０Ａ…引寄部、２０ｃ…引寄部の前中心部、２０ｌｃ…引寄部の前中心側下辺部、２０ｌｓ…引寄部の脇側下辺部、２０ｓ…引寄部の脇辺部、２０ｕ…引寄部の上辺部、２２…引寄部の脇側部分、２２ｌ…引寄部の脇側部分の下辺部、２２ｓ…引寄部の脇側部分の脇辺部、２４…引寄部の前中心側部分、２４ｌ…引寄部の前中心側部分の下辺部、２４ｕ…引寄部の前中心側部分の上辺部、３０…固定部、４０…カップワイヤー。
【図１】
2011032591.tif 000003
【図２】
2011032591.tif 000004
【図３】
2011032591.tif 000005
【図４】
2011032591.tif 000006
【図５】
2011032591.tif 000007
【図６】
2011032591.tif 000008
【図７】
2011032591.tif 000009
【図８】
2011032591.tif 000010